(57)【要約】      （修正有）【課題】独自な構成の屋根パネルを開発し、該屋根パネルをもって、また、同時開発の部材をもって、該屋根パネルを上下方向及び前後方向に接続して、プレハブ式建築物構築物等のテーパー付の屋根を構築する手段を提供する。【解決手段】屋根パネルＲを、パネルの前、後側面に鉤形突条２を突設すると共に、上、下側面に庇形突条４、鉤付突条６及び小突条５を突設して設け、前後方向に隣接する屋根パネルの接続部介装する人形介装材１３と、水密の目的で介在設置するパッキン材Ｐと、屋根パネルと梁２４を連結する、一対のパネル連結部２８と梁連結部３０からなるパネル連結金具Ｃと、屋根パネルの上下方向接続部をパッキン材で水密にカバーする接続部カバー３２等の各部材を用いて、広面積の屋根でも熟練作業不要で、簡単迅速に、高精度水密構成に構築し得るように備える。【選択図】図５
2005194795.tif 000002
【特許請求の範囲】
【請求項１】
屋根を構築するに使用する長方形の屋根パネルを、パネルの前、後側面のコ形リブの間の溝状空間内に鉤形突条を突設すると共に、上、下側面のコ形リブの間の溝状空間内に庇形突条、鉤付突条及び小突条を突設して設け、
上下方向に隣接する屋根パネルの接続部における、上位屋根パネルの下側面の庇形突条の下面側に、下位屋根パネルの上側辺を当接すると共に、下位屋根パネルの上側面の庇形突条の上面に上位屋根パネルの下側辺を載せ、
また、上位屋根パネルと下位屋根パネルの各小突条の間に各鉤付突条を嵌挿して両鉤部を相対し、その相対した鉤部の間に角柱状若しくは狭長板状の連結バーを嵌挿して、上、下位屋根パネルにコ形リブ寸法の段差をつけると共に、両屋根パネルが上下方向に外れない状態に次々と連結して、各屋根パネル毎の段差が屋根のテーパーを形成した状態に構築するようにしたことを特徴とする、
屋根パネルを上下方向に接続構築する手段。
【請求項２】
屋根を構築するに使用する長方形の屋根パネルを、パネルの前、後側面のコ形リブの間の溝状空間内に鉤形突条を突設すると共に、上、下側面のコ形リブの間の溝状空間内に庇形突条、鉤付突条及び小突条を突設して設け、
また、前後方向に隣接する屋根パネルの接続部、即ち相対当接する前位屋根パネルの後側面と後位屋根パネルの前側面の両溝状空間に跨って介装する人形介装材と、
前後方向に隣接する屋根パネルの接続部、即ち相対当接する前位屋根パネルの後側面と後位屋根パネルの前側面の、コ形リブの間に気密、水密などの目的で介在設置するパッキン材と、
屋根パネルを相互に接続した状態を支持するためのＩ形鋼材等の梁に取付けて、屋根パネルと梁を強固一体的に連結するに用いる、一対のパネル連結部と梁連結部からなるパネル連結金具と、
前後方向に接続した屋根パネルの上下方向接続部、即ち前位屋根パネルの後側面と後位屋根パネルの前側面の接続部をパッキン材で水密にカバーするために套嵌する接続部カバーを、夫々設け、
前後方向に隣接する屋根パネルの前、後側面の両溝形空間に跨って、下板の円形溝に係合部を係合してパッキン材を取付けた人形介装材の上下板を介装設置して、上端のカバー取付部を接続部の上方に突出し、パッキン材のパッキン部を両パネルのコ形リブ間に挟持して備え、
また、パネル連結金具を各屋根パネルを支持する梁と相対した接続部に取付けるため、パネル連結金具のパネル連結部を嵌挿する部分の人形介装材の一部を切除して切欠部を形成し、
隣接屋根パネルの各接続部間に各パネル連結部の連結板を挿入して一方の鉤状突起を前位の屋根パネルの鉤形突条に、他方の鉤状突起を後位の屋根パネルの鉤形突条に引掛け係合し、梁連結部の帯金を梁の外周に掛け回し、
夫々相対したパネル連結部と梁連結部の各座板をボルト・ナットで緊締することにより一対のパネル連結部の両鉤状突起で両パネルを梁方向へ強引に引付けると共に、両パネルと梁を強固一体的に連結固着して備え、  
また、接続部カバーの下面の各円形溝に夫々パッキン材の係合部を係合して取付け、該パッキン材付接続部カバーを接続部に突出した人形介装材のカバー取付部に押圧套嵌して、両パッキン材のパッキン部を接続部側辺に水密状態に圧縮着すると共に、各鉤爪突条の鉤爪をカバー取付部の係止部に係止めて備えて、各隣接屋根パネルを前後方向に接続構築するように備えたことを特徴とする、
隣接屋根パネルを前後方向に接続構築する手段。
【請求項３】
屋根を構築するに使用する屋根パネルは、パネルの厚さ寸法に略見合った幅の狭長板の長手方向両側辺にＬ形突条を形成し、一方のＬ形突条に平行して鉤形突条を突設した前、後枠材と、同じくパネルの厚さ寸法に略見合った幅の狭長板の長手方向両側辺にＬ形突条を形成し、一方のＬ形突条に近接平行してＬ形突条より幅広な庇形突条を突設すると共に、他方のＬ形突条と庇形突条の間にＬ形突条より狭幅な小突条と同幅若しくはやや幅広な鉤付突条を突設した上、下枠材をもって、また上、下枠材は庇形突条を、上枠材は下位、下枠材は上位に上下逆に位置せしめた状態で長方形フレームを形成し、
該長方形フレームの表裏両面に長方形の薄鋼板若しくはカラー鉄板等の表裏面板を当接し、その４辺周縁部を前、後、上、下の各枠材のＬ形突条に沿って２直角に折り曲げ固着してコ形リブを形成し、長方形フレームと表裏面板で囲った中空部内に硬質ウレタン、ロックウール、その他の充填材を充填して、  
長方形のパネルの前、後側面のコ形リブの間の溝状空間内に鉤形突条を突設すると共に、上、下側面のコ形リブの間の溝状空間内に庇形突条、鉤付突条及び小突条を突設して設けたものである、
屋根パネル。
【請求項４】
前後方向に隣接する屋根パネルの接続部、即ち相対当接する前位屋根パネルの後側面と後位屋根パネルの前側面の両溝状空間に跨って介装する人形介装材は、
狭長板状の下板と中心となる縦板と縦板の両面に突設した上板、及び上板の上方に突出した縦板の上端に膨出形成したカバー取付部で、横断面形状を略両手を掲げた人の形に形成し、下板の長手方向の中心線上にパッキン材の係合部を係合する円形溝を形成し、下板と上板間の寸法を屋根パネルの溝形空間に見合った寸法とし、縦板上端のカバー取付部の下面を係止部として設けたものである、
請求項２記載の隣接屋根パネルを前後方向に接続構築する手段。
【請求項５】
軟質で弾力性のプラスチック若しくは合成ゴム等の素材で、横断面円形若しくは楕円形のパイプ状に形成したパッキン部と、その長手方向中心線に平行して該パッキン部よりも硬質で弾力性の同素材で横断面円柱状に形成した係合部と、両部間のネック部を同時成形加工により一体に形成したものであり、隣接パネルの接続部間等の相対する対象物間に気密、水密等の目的で介在設置するものである、
パッキン材。
【請求項６】
パネルを相互に接続した状態を支持するため、建築構築物の梁・胴縁の形鋼材・角型鋼管に取付けて、パネルと梁・胴縁を強固一体的に連結するに用いるパネル連結金具であり、
長方形の座板に、先端の左右に鉤状の突起を形成した連結板を直立した、横断面略Ｔ形の一対のパネル連結部と、梁、胴縁の周囲に掛け回す帯金の両端に座板を延設した梁・胴縁連結部を設け、
隣接パネルの各接続部間に各パネル連結部の連結板を挿入して一方の鉤状突起を一方のパネルの鉤形突条に、他方の鉤状突起を他方のパネルの鉤形突条に引掛け係合し、梁・胴縁連結部の帯金を梁・胴縁の外周に掛け回し、
夫々相対したパネル連結部と梁・胴縁連結部の各座板をボルト・ナットで緊締することにより一対のパネル連結部の両鉤状突起で両パネルを梁・胴縁方向へ強引に引付けると共に、両パネルと梁・胴縁を強固一体的に連結するように備えたものである、
パネル連結金具。
【請求項７】
前後方向に接続した屋根パネルの上下方向接続部、即ち前位屋根パネルの後側面と後位屋根パネルの前側面の接続部をパッキン材で水密にカバーするために套嵌する接続部カバーは、
狭長板状の天板の下面長手方向中心線に沿い設定間隔をおいて先端を鉤爪とした鉤爪突条を平行相対して形成し、また、両鉤爪突条と下方に曲成した天板の両側辺の内面の間にパッキン材の係合部を係合する円形溝を平行に形成して設けたものである、
請求項２記載の隣接屋根パネルを前後方向に接続構築する手段。
【発明の詳細な説明】
【技術分野】
【０００１】
本発明は、プレハブ式建築物構築物等、例えばプレハブ式の各種倉庫、事務所、住宅、作業場、クリーンルーム、冷凍・冷蔵倉庫、冷凍・冷蔵庫、その他の建築物構築物等において、それらの屋根を構築するための屋根パネルを開発すると共に、該屋根パネルを(建築物構築物等の正面に向かって)上下方向及び前後方向に接続して屋根を構築する手段を提供するものである。
【背景技術】
【０００２】
従来、上記プレハブ式建築物構築物等の屋根を構成する場合は、壁、天井、床等用のパネルと共通構造のパネルを単に転用していたため、特に隣接パネル相互の強固かつ水密・気密な接続構築が困難であり、面積の広い屋根を構築することが難しい課題があった。
【０００３】
また、従来、屋根を構築するにつき、前後方向に並列設置したパネルの内面側に沿って建築物構築物等の屋根組みを形成しているＩ形鋼材等の梁に、屋根パネルを強固一体的に連結する必要があるが、各屋根パネルと梁の連結手段として簡単かつ強固に取付け取外しが出来る有効な手段が提供されていなかった。
【０００４】
プレハブ式建築物構築物等のテーパー(下り勾配)付の屋根を構築する手段は提供されていなかった。
【発明の開示】
【発明が解決しようとする課題】
【０００５】
本発明は、上記従来の課題を解決するにつき、本発明に独自な構成の屋根パネルを開発し、該屋根パネルをもって、また、同時開発の部材をもって、該屋根パネルを上下方向及び前後方向に接続して、プレハブ式建築物構築物等のテーパー付の屋根を構築する手段を提供する。
【課題を解決するための手段】
【０００６】
「屋根パネルを上下方向に接続構築する手段」
本発明は、屋根を構築するに使用する長方形の屋根パネルを、パネルの前、後側面のコ形リブの間の溝状空間内に鉤形突条を突設すると共に、上、下側面のコ形リブの間の溝状空間内に庇形突条、鉤付突条及び小突条を突設して設け、
【０００７】
上下方向に隣接する屋根パネルの接続部における、上位屋根パネルの下側面の庇形突条の下面側に、下位屋根パネルの上側辺を当接すると共に、下位屋根パネルの上側面の庇形突条の上面に上位屋根パネルの下側辺を載せ、
【０００８】
また、上位屋根パネルと下位屋根パネルの各小突条の間に各鉤付突条を嵌挿して両鉤部を相対し、その相対した鉤部の間に角柱状若しくは狭長板状の連結バーを嵌挿して、上、下位屋根パネルにコ形リブ寸法の段差をつけると共に、両屋根パネルが上下方向に外れない状態に次々と連結して、各屋根パネル毎の段差が屋根のテーパーを形成した状態に構築するようにしたことを特徴とする、
屋根パネルを上下方向に接続構築する手段。によって課題を解決した。
【０００９】
「隣接屋根パネルを前後方向に接続構築する手段」
本発明は、屋根を構築するに使用する長方形の屋根パネルを、パネルの前、後側面のコ形リブの間の溝状空間内に鉤形突条を突設すると共に、上、下側面のコ形リブの間の溝状空間内に庇形突条、鉤付突条及び小突条を突設して設け、
また、前後方向に隣接する屋根パネルの接続部、即ち相対当接する前位屋根パネルの後側面と後位屋根パネルの前側面の両溝状空間に跨って介装する人形介装材と、
【００１０】
前後方向に隣接する屋根パネルの接続部、即ち相対当接する前位屋根パネルの後側面と後位屋根パネルの前側面の、コ形リブの間に気密、水密などの目的で介在設置するパッキン材と、
【００１１】
屋根パネルを相互に接続した状態を支持するためのＩ形鋼材等の梁に取付けて、屋根パネルと梁を強固一体的に連結するに用いる、一対のパネル連結部と梁連結部からなるパネル連結金具と、
【００１２】
前後方向に接続した屋根パネルの上下方向接続部、即ち前位屋根パネルの後側面と後位屋根パネルの前側面の接続部をパッキン材で水密にカバーするために套嵌する接続部カバーを、夫々設け、
【００１３】
前後方向に隣接する屋根パネルの前、後側面の両溝形空間に跨って、下板の円形溝に係合部を係合してパッキン材を取付けた人形介装材の上下板を介装設置して、上端のカバー取付部を接続部の上方に突出し、パッキン材のパッキン部を両パネルのコ形リブ間に挟持して備え、
【００１４】
また、パネル連結金具を各屋根パネルを支持する梁と相対した接続部に取付けるため、パネル連結金具のパネル連結部を嵌挿する部分の人形介装材の一部を切除して切欠部を形成し、
【００１５】
隣接屋根パネルの各接続部間に各パネル連結部の連結板を挿入して一方の鉤状突起を前位の屋根パネルの鉤形突条に、他方の鉤状突起を後位の屋根パネルの鉤形突条に引掛け係合し、梁連結部の帯金を梁の外周に掛け回し、
【００１６】
夫々相対したパネル連結部と梁連結部の各座板をボルト・ナットで緊締することにより一対のパネル連結部の両鉤状突起で両パネルを梁方向へ強引に引付けると共に、両パネルと梁を強固一体的に連結固着して備え、  
【００１７】
また、接続部カバーの下面の各円形溝に夫々パッキン材の係合部を係合して取付け、該パッキン材付接続部カバーを接続部に突出した人形介装材のカバー取付部に押圧套嵌して、両パッキン材のパッキン部を接続部側辺に水密状態に圧縮着すると共に、各鉤爪突条の鉤爪をカバー取付部の係止部に係止めて備えて、各隣接屋根パネルを前後方向に接続構築するように備えたことを特徴とする、隣接屋根パネルを前後方向に接続構築する手段によって課題を解決した。
【００１８】
「屋根パネル」
本発明は、屋根を構築するに使用する屋根パネルは、パネルの厚さ寸法に略見合った幅の狭長板の長手方向両側辺にＬ形突条を形成し、一方のＬ形突条に平行して鉤形突条を突設した前、後枠材と、同じくパネルの厚さ寸法に略見合った幅の狭長板の長手方向両側辺にＬ形突条を形成し、一方のＬ形突条に近接平行してＬ形突条より幅広な庇形突条を突設すると共に、他方のＬ形突条と庇形突条の間にＬ形突条より狭幅な小突条と同幅若しくはやや幅広な鉤付突条を突設した上、下枠材をもって、また上、下枠材は庇形突条を、上枠材は下位、下枠材は上位に上下逆に位置せしめた状態で長方形フレームを形成し、
【００１９】
該長方形フレームの表裏両面に長方形の薄鋼板若しくはカラー鉄板等の表裏面板を当接し、その４辺周縁部を前、後、上、下の各枠材のＬ形突条に沿って２直角に折り曲げ固着してコ形リブを形成し、長方形フレームと表裏面板で囲った中空部内に硬質ウレタン、ロックウール、その他の充填材を充填して、  
【００２０】
長方形のパネルの前、後側面のコ形リブの間の溝状空間内に鉤形突条を突設すると共に、上、下側面のコ形リブの間の溝状空間内に庇形突条、鉤付突条及び小突条を突設して設けた、屋根パネルによって課題を解決した。
【００２１】
「パッキン材」
本発明は、軟質で弾力性のプラスチック若しくは合成ゴム等の素材で、横断面円形若しくは楕円形のパイプ状に形成したパッキン部と、その長手方向中心線に平行して該パッキン部よりも硬質で弾力性の同素材で横断面円柱状に形成した係合部と、両部間のネック部を同時成形加工により一体に形成したものであり、隣接パネルの接続部間等の相対する対象物間に気密、水密等の目的で介在設置するものである、パッキン材によって課題を解決した。
【００２２】
「パネル連結金具」
本発明は、パネルを相互に接続した状態を支持するため、建築構築物の梁・胴縁の形鋼材・角型鋼管に取付けて、パネルと梁・胴縁を強固一体的に連結するに用いるパネル連結金具であり、
【００２３】
長方形の座板に、先端の左右に鉤状の突起を形成した連結板を直立した、横断面略Ｔ形の一対のパネル連結部と、梁、胴縁の周囲に掛け回す帯金の両端に座板を延設した梁・胴縁連結部を設け、
【００２４】
隣接パネルの各接続部間に各パネル連結部の連結板を挿入して一方の鉤状突起を一方のパネルの鉤形突条に、他方の鉤状突起を他方のパネルの鉤形突条に引掛け係合し、梁・胴縁連結部の帯金を梁・胴縁の外周に掛け回し、
【００２５】
夫々相対したパネル連結部と梁・胴縁連結部の各座板をボルト・ナットで緊締することにより一対のパネル連結部の両鉤状突起で両パネルを梁・胴縁方向へ強引に引付けると共に、両パネルと梁・胴縁を強固一体的に連結するように備えたものである、パネル連結金具によって課題を解決した。
【発明の効果】
【００２６】
本発明は、屋根パネルとそれ用の各部材、即ち人形介装置材、パッキン材、パネル連結金具、接続部カバー等の部材を用いて、如何なる広面積の屋根でも熟練作業不要で、簡単迅速に、また、パッキン材の作用で高精度水密構成に構築し得る極めて優れたと特徴がある。
【００２７】
屋根パネルの独自構成によって、隣接パネルを連結するだけでテーパー付の屋根を構築することが出来る利点がある。
【００２８】
パネル連結金具を用いることによって、建築物構築物等の屋根組みを形成しているＩ形鋼材等の梁に、同じく熟練作業不要で、屋根パネルを極めて簡単に、また、強固一体的に連結し得る特徴がある。
【発明を実施するための最良の形態】
【００２９】
屋根パネルとそれ用の各部材、即ち人形介装置材、パッキン材、パネル連結金具、接続部カバー等の部材を用いて、如何なる広面積の屋根でも熟練作業不要で、プレハブ式建築物構築物等の屋根を構築する手段を実現した。
【実施例１】
【００３０】
「屋根パネルを上下方向に接続構築する手段」
図１〜３、図８〜１２を参照。
図１は基礎、骨組に屋根パネル、壁パネルを連結構築したプレハブ式建築物構築物の一部縦断面図、
図２は図１の屋根の一部の平面図、
図３は図２のＡ-Ａ線断面矢視拡大図、
図８は屋根パネルの正面図、平面図、右側面図、及び左側面図、
図９は図８のＧ-Ｇ線断面矢視拡大図、
図１０は図８のＨ-Ｈ線断面矢視拡大図、
図１１は上下枠材の正面図、平面図、右側面図、及びＩ-Ｉ線断面矢視拡大図、
図１２は前後枠材の正面図、平面図、右側面図、及びＪ-Ｊ線断面矢視拡大図である。
【００３１】
屋根を構築するに使用する長方形の屋根パネルＲを、パネルの前、後側面のコ形リブ９の間の溝状空間１１内に鉤形突条２を突設すると共に、上、下側面のコ形リブ９の間の溝状空間１１内に庇形突条４、鉤付突条６及び小突条５を突設して設け、
【００３２】
上下方向に隣接する屋根パネルＲ、Ｒの接続部における、上位屋根パネルＲの下側面の庇形突条４の下面側に、下位屋根パネルＲの上側辺を当接すると共に、下位屋根パネルＲの上側面の庇形突条４の上面に上位屋根パネルＲの下側辺を載せ、
【００３３】
また、上位屋根パネルＲと下位屋根パネルＲの各小突条５、５の間に各鉤付突条６、６を嵌挿して両鉤部を相対し、その相対した鉤部の間に角柱状若しくは狭長板状の連結バー１２を嵌挿して、上、下位屋根パネルＲ、Ｒにコ形リブ９寸法の段差をつけると共に、各鉤付突条６、６の鉤部と連結バー１２の係合作用で両屋根パネルＲ、Ｒが上下方向に外れない状態に次々と連結して、各屋根パネルＲ毎の段差が屋根のテーパー（実施例３％）を形成した状態に構築するようにした、屋根パネルを上下方向に接続構築する手段である。
【００３４】
屋根を構築するに使用する屋根パネルＲは、パネルの厚さ寸法に略見合った幅の狭長板の長手方向両側辺にＬ形突条１を形成し、一方のＬ形突条１に平行して鉤形突条２を突設した前、後枠材３と、同じくパネルの厚さ寸法に略見合った幅の狭長板の長手方向両側辺にＬ形突条１を形成し、一方のＬ形突条１に近接平行してＬ形突条１より幅広な庇形突条４を突設すると共に、他方のＬ形突条１と庇形突条４の間にＬ形突条１より狭幅な小突条５と同幅若しくはやや幅広な鉤付突条６を突設した上、下枠材８をもって、また上、下枠材３は庇形突条４を、上枠材７は下位、下枠材７は上位に上下逆に位置せしめた状態で長方形フレームを形成し、
【００３５】
該長方形フレームの表裏両面に長方形の薄鋼板若しくはカラー鉄板等の表裏面板８を当接し、その４辺周縁部を前、後、上、下の各枠材のＬ形突条に沿って２直角に折り曲げ固着してコ形リブ９を形成し、長方形フレームと表裏面板８で囲った中空部内に硬質ウレタン、ロックウール、その他の充填材１０を充填して、  
【００３６】
長方形のパネルの前、後側面のコ形リブ９の間の溝状空間１１内に鉤形突条２を突設すると共に、上、下側面のコ形リブ９の間の溝状空間１１内に庇形突条４、小突条、及び鉤付突条６を突設して設けたものである。  
【実施例２】
【００３７】
「隣接屋根パネルを前後方向に接続構築する手段」
図１〜１０、図１３〜１６を参照。
図１３は人形介装材の正面図、平面図、右側面図、及びＫ-Ｋ線断面矢視拡大図
、
図１４はパッキン材の正面図、平面図、右側面図、及びＬ-ＬＪ-Ｊ線断面矢視拡大図、
図１５はパネル連結金具の正面図、平面図、及びＭ-Ｍ線断面矢視図、
図１６は接続部カバーの正面図、平面図、底面図、右側面図、及びＮ-Ｎ線断面矢視拡大図である。
【００３８】
屋根を構築するに使用する長方形の屋根パネルＲを、パネルの前、後側面のコ形リブ９の間の溝状空間１１内に鉤形突条２を突設すると共に、上、下側面のコ形リブ９の間の溝状空間１１内に庇形突条４、鉤付突条６及び小突条５を突設して設け、
【００３９】
また、前後方向に隣接する屋根パネルＲ、Ｒの接続部、即ち相対当接する前位屋根パネルＲの後側面と後位屋根パネルＲの前側面の両溝状空間１１、１１に跨って介装する人形介装材１３と、
【００４０】
前後方向に隣接する屋根パネルＲ、Ｒの接続部、即ち相対当接する前位屋根パネルＲの後側面と後位屋根パネルＲの前側面の、コ形リブ９、９の間に気密、水密などの目的で介在設置するパッキン材Ｐと、
【００４１】
屋根パネルＲを相互に接続した状態を支持するためのＩ形鋼材等の梁２４に取付けて、屋根パネルＲと梁２４を強固一体的に連結するに用いる、一対のパネル連結部２８、２８と梁連結部３０からなるパネル連結金具Ｃと、
【００４２】
前後方向に接続した屋根パネルＲ、Ｒの上下方向接続部、即ち前位屋根パネルＲの後側面と後位屋根パネルＲの前側面の接続部をパッキン材Ｐで水密にカバーするために套嵌する接続部カバー３２を、夫々設け、
【００４３】
前後方向に隣接する屋根パネルＲ、Ｒの前、後側面の両溝形空間１１、１１に跨って、下板１４の円形溝１８に係合部２１を係合してパッキン材Ｐを取付けた人形介装材１３の上下板１６、１４を介装設置して、上端のカバー取付部１７を接続部の上方に突出し、パッキン材Ｐのパッキン部２０を両パネルＲ、Ｒのコ形リブ９、９間に挟持して備え、
【００４４】
また、パネル連結金具Ｃを各屋根パネルＲを支持する梁２４と相対した接続部に取付けるため、パネル連結金具Ｃのパネル連結部２８を嵌挿する部分の人形介装材１３の一部を切除して切欠部３６を形成し、
【００４５】
隣接屋根パネルＲ、Ｒの各接続部間に各パネル連結部２８、２８の連結板２７を挿入して一方の鉤状突起２６を前位の屋根パネルＲの鉤形突条２に、他方の鉤状突起２６を後位の屋根パネルＲの鉤形突条２に引掛け係合し、梁連結部３０の帯金３８を梁２４の外周に掛け回し、
【００４６】
夫々相対したパネル連結部２８、２８と梁連結部３０の各座板２５、２９をボルト・ナット３７で緊締することにより一対のパネル連結部２８、２８の両鉤状突起２６、２６で両パネルＲ、Ｒを梁２４方向へ強引に引付けると共に、両パネルＲ、Ｒと梁２４を強固一体的に連結固着して備え、  
【００４７】
また、接続部カバー３２の下面の各円形溝１８、１８に夫々パッキン材Ｐ、Ｐの係合部２１を係合して取付け、該パッキン材Ｐ、Ｐ付接続部カバー３２を接続部に突出した人形介装材１３のカバー取付部１７に押圧套嵌して、両パッキン材Ｐ、Ｐのパッキン部２０、２０を接続部側辺に水密状態に圧縮着すると共に、各鉤爪突条３５、３５の鉤爪３４、３４をカバー取付部１７の係止部１９、１９に係止めて備えて、各隣接屋根パネルＲ、Ｒを前後方向に接続構築するように備えた、隣接屋根パネルを前後方向に接続構築する手段である。
【００４８】
人形介装材１３、即ち、前後方向に隣接する屋根パネルＲ、Ｒの接続部、即ち相対当接する前位屋根パネルＲの後側面と後位屋根パネルＲの前側面の両溝状空間１１、１１に跨って介装する人形介装材１３は、
【００４９】
狭長板状の下板１４と中心となる縦板１５と縦板１５の両面に突設した上板１６、及び上板１６の上方に突出した縦板１５の上端に膨出形成したカバー取付部１７で、横断面形状を略両手を掲げた人の形に形成し、下板１４の長手方向の中心線上にパッキン材Ｐの係合部２１を係合する円形溝１８を形成し、下板１４と上板１３間の寸法を屋根パネルＲの溝形空間１１に見合った寸法とし、縦板１５上端のカバー取付部１７の下面を係止部１９として設けたものである。
【００５０】
パッキン材Ｐは、前後方向に隣接する屋根パネルＲ、Ｒの接続部、例えば、相対当接する前位屋根パネルＲの後側面と後位屋根パネルＲの前側面の、コ形リブ９、９等の等の相対する対象物間に気密、水密等の目的で介在設置するものであり、
【００５１】
軟質で弾力性のプラスチック若しくは合成ゴム等の素材で、横断面円形若しくは楕円形のパイプ状に形成したパッキン部２０と、その長手方向中心線に平行して該パッキン部２０よりも硬質で弾力性の同素材で横断面円柱状に形成した係合部２１と、両部間のネック部２２を同時成形加工により一体に形成したものである。
【００５２】
また、パッキン材Ｐは、必要に応じ、係合部２１の下部両側面にがたつき防止用の小突起２３を突出形成したものである。
【００５３】
パネル連結金具Ｃは一対のパネル連結部２８、２８と梁連結部３０からなり、屋根パネルＲを相互に接続した状態を支持するために、プレハブ式建築物構築物等の骨組３７のＩ形鋼材等の梁２４に取付けて、屋根パネルＲと梁２４を強固一体的に連結するに用いるものであり、
【００５４】
長方形の座板２５に、先端の左右に鉤状突起２６を形成した連結板２７を直立した、横断面略Ｔ形の一対のパネル連結部２８と、梁２４の周囲に掛け回す帯金３８の両端に座板２９を延設した梁連結部３０を設け、
【００５５】
隣接屋根パネルＲ、Ｒの各接続部間に各パネル連結部２８の連結板２７を挿入して一方の鉤状突起２６を一方の屋根パネルＲの鉤形突条２に、他方の鉤状突起２６を他方の屋根パネルＲの鉤形突条２に引掛け係合し、梁連結部３０の帯金を梁２４の外周に掛け回し、
【００５６】
夫々相対したパネル連結部２８と梁連結部３０の各座板２５、２９をボルト・ナット３１で緊締することにより一対のパネル連結部２８の両鉤状突起２６で両パネルＲ、Ｒを梁２４方向へ強引に引付けると共に、両パネルＲ、Ｒと梁２４を強固一体的に連結するように備えたものである。
【００５７】
接続部カバー３２は、前後方向に接続した屋根パネルＲ、Ｒの上下方向接続部、即ち前位屋根パネルＲの後側面と後位屋根パネルＲの前側面の接続部をパッキン材Ｐ、Ｐで水密にカバーするために套嵌するものであり、
【００５８】
狭長板状の天板３３の下面長手方向中心線に沿い設定間隔をおいて先端を鉤爪３４とした鉤爪突条３５を平行相対して形成し、また、両鉤爪突条３５、３５と下方に曲成した天板３３の両側辺の内面の間にパッキン材Ｐ、Ｐの係合部２１、２１を係合する円形溝１８、１８を平行に形成して設けたものである。
【００５９】
Ｗは壁パネルであり、隣接壁パネルを相互接続してプレハブ式建築物構築物の壁を構築する。
３９はプレハブ式建築物構築物のコンクリートの基礎、
４０は壁パネルをパネル連結金具Ｃで固着する胴縁（骨組３７に固定した）である。
【産業上の利用可能性】
【００６０】
屋根パネルと人形介装置材、パッキン材、パネル連結金具、接続部カバー等の部材を用意するだけで、如何なる広面積の屋根でも、熟練作業不要で、簡単迅速に、高精度水密構成に構築することができる。
【図面の簡単な説明】
【００６１】
【図１】基礎、骨組に屋根パネル、壁パネルを連結構築したプレハブ式建築物構築物の一部縦断面図。
【図２】図１の屋根の一部の平面図。
【図３】図２のＡ-Ａ線断面矢視拡大図。
【図４】図２のＢ-Ｂ線断面矢視拡大図（図５のＤ-Ｄ線断面矢視図）。
【図５】図４のＥ-Ｅ線断面矢視図。
【図６】図５の一部拡大図。
【図７】図２のＦ-Ｆ線断面矢視拡大図。
【図８】屋根パネルの正面図、平面図、右側面図、及び左側面図。
【図９】図８のＧ-Ｇ線断面矢視拡大図。
【図１０】図８のＨ-Ｈ線断面矢視拡大図。
【図１１】上下枠材の正面図、平面図、右側面図、及びＩ-Ｉ線断面矢視拡大図。
【図１２】前後枠材の正面図、平面図、右側面図、及びＪ-Ｊ線断面矢視拡大図。
【図１３】人形介装材の正面図、平面図、右側面図、及びＫ-Ｋ線断面矢視拡大図。
【図１４】パッキン材の正面図、平面図、右側面図、及びＬ-ＬＪ-Ｊ線断面矢視拡大図。
【図１５】パネル連結金具の正面図、平面図、及びＭ-Ｍ線断面矢視図。
【図１６】接続部カバーの正面図、平面図、底面図、右側面図、及びＮ-Ｎ線断面矢視拡大図。
【符号の説明】
【００６２】
Ｒ    本発明屋根パネル
Ｐ    パッキン材
Ｃ    パネル連結金具
Ｗ    壁パネル
１    Ｌ形突条
２    鉤形突条
３    前、後枠材
４    庇形突条
５    小突条
６    鉤付突条
７    上、下枠材
８    表裏面板
９    コ形リブ
１０  充填材
１１  溝状空間
１２  連結バー
１３  人形介装材
１４  下板
１５  縦板
１６  上板
１７  カバー取付部
１８  円形溝
１９  係止部
２０  パッキン部
２１  係合部
２２  ネック部
２３  小突起
２４  梁
２５  座板
２６  鉤状突起
２７  連結板
２８  パネル連結部
２９  座板
３０  梁連結部
３１  ボルト・ナット
３２  接続部カバー
３３  天板
３４  鉤爪
３５  鉤爪突条
３６  切欠部
３７  骨組
３８  帯金
３９  基礎
４０  胴縁
【図１】
2005194795.tif 000003
【図２】
2005194795.tif 000004
【図３】
2005194795.tif 000005
【図４】
2005194795.tif 000006
【図５】
2005194795.tif 000007
【図６】
2005194795.tif 000008
【図７】
2005194795.tif 000009
【図８】
2005194795.tif 000010
【図９】
2005194795.tif 000011
【図１０】
2005194795.tif 000012
【図１１】
2005194795.tif 000013
【図１２】
2005194795.tif 000014
【図１３】
2005194795.tif 000015
【図１４】
2005194795.tif 000016
【図１５】
2005194795.tif 000017
【図１６】
2005194795.tif 000018